(57)【特許請求の範囲】
【請求項１】
ドアの両側に設けた一対のドアハンドルを角芯を用いて一体的に接続するドアハンドルの接続構造であって、
少なくとも一方のドアハンドルは、前記角芯の回転を固定する回転防止手段と、係止板と付勢具とを有し前記角芯の軸方向の保持を行う凹状の係止部とを備えており、
前記係止板は、前記角芯を貫通させる角孔を有し、該角孔周辺の一部には貫通する前記角芯に対して断面が傾斜を持つ係止刃が設けられ、該角孔の正投影幅よりも前記傾斜における傾斜投影幅が大きく形成されており、該係止板は前記係止部内において、貫通する前記角芯に対して略垂直の係止姿勢と該係止姿勢から傾斜した解除姿勢との間を移動可能に保持され、前記付勢具は前記係止板を前記係止姿勢側に付勢する構成とされており、
前記ハンドルに前記角芯を挿入させる力が加わると、前記係止板が前記解除姿勢側に移動して前記係止刃による前記角芯の係止を解除して挿入させ、前記力が解除されると、前記付勢具によって前記係止板が前記係止姿勢で保持されて貫通する前記角芯を前記係止刃で係止する、ドアハンドルの接続構造。
【請求項２】
前記ドアハンドルが、前記係止部に前記角芯の軸方向の保持を行う係止ユニットを挿入固定して形成されており、
該係止ユニットは、前記係止部に連通して前記角芯を貫通させる貫通孔を有し、該貫通孔の前記係止部側の開放端部によって前記係止板を前記係止姿勢で支持すると共に、前記係止部の付勢具が前記係止板を前記係止姿勢側に付勢する構成とした、請求項１に記載のドアハンドルの接続構造。
【請求項３】
前記ドアハンドルが、前記係止部の係止板を前記解除姿勢側に移動させて前記角芯の係止を解除させる操作開口を設けた、請求項１または請求項２に記載のドアハンドルの接続構造。
【発明の詳細な説明】
【０００１】
【発明の属する技術分野】
本発明は、ラッチ錠などに取り付けられるドアハンドルに係り、更に詳しくは、ラッチ錠を貫通する角芯にドアハンドルを容易に調整固定できるようにした接続構造に関する。
【０００２】
【従来の技術】
ラッチ錠は、図８に示すように、錠ケース２０の開孔２１に四角柱などの形状をした角芯２３を貫通させ、角芯２３の両端にレバーハンドル１００を各々挿入し、ハンドル１００のねじ孔１００ａにねじ１００ｂをねじ込んでレバーハンドル１００と角芯２３とを各々一体的に固定している。そして、レバーハンドル１００を回動すると、錠ケース２０内で角芯２３の貫通したハブ（不図示）が回動し、ラッチ２２が錠ケース２０の開口部から突出・退入する。
【０００３】
ドアハンドル１００は、手によって掴まれるハンドル部１００ｃと、角芯２３を嵌入する角穴１００ｅを形成したボス部１００ｄとから構成される。そして通常は、一方のドアハンドル１００のボス部１００ｄに角芯２３を予め挿入固定して準備しておき、現場での取り付け作業性を向上している。他方のハンドル１００は、扉（不図示）の厚さに応じて、角芯２３をボス部１００ｄの角穴１００ｅに任意の深さだけ挿入し、ボス部１００ｄを貫通するねじ１００ｂによって、角芯２３に取り付け固定している。
【０００４】
【発明が解決しようとする課題】
ところが、この固定作業は、ドアハンドル１００とドアとの隙間を見ながら適切に角芯２３に挿入し、その状態でドアハンドル１００を支えたままねじ１００ｂを締めなければならず、無理な姿勢を強いられて面倒で作業性が悪かった。
【０００５】
本発明は、ドアハンドルとドアとの隙間を調整しながら簡単に取付固定できるドアハンドルの接続構造を提供するものである。
【０００６】
【課題を解決するための手段】
前記課題を解決するために提案される本発明は、ドアの両側に設けた一対のドアハンドルを角芯を用いて一体的に接続するドアハンドルの接続構造であって、少なくとも一方のドアハンドルは、角芯の回転を固定する回転防止手段と、係止板と付勢具とを有し前記角芯の軸方向の保持を行う凹状の係止部とを備えており、係止板は、角芯を貫通させる角孔を有し、その角孔周辺の一部には、貫通する角芯に対して断面が傾斜を持つ係止刃が設けられ、角孔の正投影幅よりも傾斜における傾斜投影幅が大きく形成されており、係止板は係止部内において、貫通する角芯に対して略垂直の係止姿勢と、その係止姿勢から傾斜した解除姿勢との間を移動可能に保持されると共に付勢具によって係止姿勢側に付勢される構成とされている。ここで、略垂直の係止姿勢とは、角芯に対して完全な垂直状態を含み解除姿勢に至るまでの範囲で設定される姿勢である。
【０００７】
この構成によれば、ハンドルに角芯を挿入させる力が加わると、係止板は付勢具の付勢力に打ち勝って解除姿勢側に移動し、係止エッジによる角芯の係止が解除されて角芯はハンドルに挿入される。そして、角芯を挿入する力を解除すると、付勢具の付勢力によって係止板は係止姿勢まで戻り、係止板の係止刃が角芯を係止して保持する。
【０００８】
本発明によれば、ハンドル同士を近づけるように力を加えて間隔を調整するだけで適切な間隔で容易にハンドルを固定でき、ねじを締めるなどの手間が掛からない。
【０００９】
また、本発明において、ドアハンドルの係止部に、角芯の軸方向の保持を行う係止ユニットを挿入固定して形成され、この係止ユニットが、係止部に連通し角芯を貫通させる貫通孔を有し、係止部側の開放端で係止板を係止姿勢で支持すると共に、係止部の付勢具が係止ユニットの係止板を係止姿勢側に付勢する構成とすることもできる。
【００１０】
この本発明によれば、ドアハンドルの係止部に予め付勢具と係止板とを挿入し、この係止部に係止ユニットを挿入して固定するので、容易に組立を行うことができる。
【００１１】
また、前記本発明において、ドアハンドルが、係止部の係止板を解除姿勢側に移動させて角芯の係止を解除させる操作開口を設けた構成とすれば、必要に応じて角芯からドアハンドルを取り外すことができる。
【００１２】
前記した本発明はいずれも、一方のドアハンドルに本発明の構造を適用した構成としているが、双方のドアハンドルに本発明の構造を適用することも可能である。
【００１３】
【発明の実施の形態】
以下に図面を参照して本発明の実施形態を説明する。
【００１４】
図１は本発明の実施形態に係るドアハンドル１の構造を示す分解斜視図であり、図２（ａ）はドアハンドル１のボス部２の断面図、（ｂ）は係止ユニット６の断面図、（ｃ）は角芯７の説明図、（ｄ）はボス部２の組み立て断面図である。
【００１５】
図１において、１はドアハンドル、４はばね（付勢具）、５は係止板、６は係止ユニットである。
ドアハンドル１は手で掴むハンドル部１ａと角芯７を嵌入するボス部２で構成される。ボス部２は図２（ａ）に示すように、内部に凹状の係止部３を有し、係止部３の奥には係止部３と連通して角芯７を嵌入する嵌入孔２ａが設けられている。
【００１６】
係止部３は円筒凹状に形成され、内壁上部には後述する係止ユニット６の突起６ｄが係合する係合溝３ａを有する。ボス部２の下部には係止板５を操作する操作開口２ｂとピン孔２ｃとが係止部３に各々貫通して設けられている。
【００１７】
係止ユニット６は、図２（ｂ）に示すように、大径部６ａと小径部６ｂで成る円筒状に形成され、内部に角芯７を貫通させる角状の貫通孔６ｃを有し、大径部６ａ側の開口部６ｆは内面にテーパを持たせて傾斜させている。このテーパは、後述する係止板５の係止刃が開口部６ｆに当たらないようにして係止板５を安定して支持するためのものである。大径部６ａの上部には係止部３の係合溝３ａに係合する突起６ｄが、また、下部にはピン穴６ｇが設けられている。
【００１８】
尚、本発明の実施形態では、ボス部２内部に設けられた嵌入孔２ａは丸孔とし、係止ユニット６の貫通孔６ｃを角孔とし、係止ユニット６を係止部３に固定することで角芯７とボス部２との回転を防止（回転防止手段）している。
【００１９】
角芯７は、図２（ｃ）に示すように、角柱状に成され上下面に断面が三角形状の係止溝７ａを各々設けている。
【００２０】
このドアハンドル１の組立は、図１に示すように、係止部３内部にばね４を挿入し、後述する係止板５の下部舌片５ｅが操作開口２ｂに、上部舌辺５ｄが係合溝３ａに各々入るように斜めに挿入し、その上から係止ユニット６を突起６ｄが係合溝３ａに係合するように挿入する。そして、ピン２ｄをボス部２のピン穴２ｃを介して係止ユニット６のピン穴６ｇに嵌入させて固定する。
【００２１】
この構造によれば、図２（ｄ）で示すように、常時は係止板５はばね４によって付勢され、係止ユニット６の開口部６ｆに当接して支持される。この係止板５にばね４に対向する力を加えると、係止板５の上部舌辺５ｄは係合溝３ａで制限支持されるが、下部舌辺５ｅは操作開口２ｂの他端に当接するまで回動するため、係止板５は傾斜して解除姿勢に至る。尚、本発明の実施形態では、係止板５が開口部６ｆに当接した垂直状態から１５度程度だけ解除姿勢側に傾斜した状態を係止姿勢としている。これは、後述するように角芯７の係止力を強化するためである。
【００２２】
図３（ａ）は本発明に係る係止板５の外観図、（ｂ）はその断面図を示したものである。係止板５は、円板の中央に角芯７を貫通させる角孔５ａを有し、角孔５ａの上下辺部は、所定の傾斜角度を有し互いに平行で対向する方向の上部係止刃５ｂと下部係止刃５ｃとを形成している。また、係止板５の上下には上部舌辺５ｄと下部舌辺５ｅが設けられ、下部舌辺５ｅが上部舌辺５ｄよりも僅かに長く成されている。この係止板５は、図３（ｂ）に示すように、角孔５ａの正投影幅ｄ１よりも、上下の係止刃５ｂ，５ｃの傾斜角度による傾斜投影幅ｄ２の方が大きくなるように形成される。則ち、係止板５に角芯７を貫通させた場合、角芯７の係止溝７ａを刻んだ面同士間の最大寸法を傾斜投影幅ｄ２に略一致させ、正投影幅ｄ１がその傾斜投影幅ｄ２よりも小さくなるように形成される。
【００２３】
この係止板５はプレス加工によって金属板に外形と角孔５ａを打ち抜き、上下の係止刃５ｂ，５ｃ部分を折り曲げ加工して製したものである。
【００２４】
係止板５は、このような製法以外にもが、肉厚の金属板を削りだして製することもできる。図３（ｃ），（ｄ）は、このような係止板５１を示したもので、角孔５ａを係止板５１面に対して傾斜させて削り出すことにより、前記した係止板５と同様に、角孔５ａの正投影幅ｄ１よりも、上下の係止刃５ｂ，５ｃの傾斜角度による傾斜投影幅ｄ２が大きくなるように形成している。
【００２５】
また、係止板５は、プレス絞り加工によって製することもできる。図３（ｅ），（ｆ）は、このような係止板５２を示したもので、金型によって角孔５ａのプレス加工時に同時に上下の係止刃５ｂ，５ｃ部分を絞り加工するものである。この係止板５２も、係止板５と同様に、角孔５ａの正投影幅ｄ１よりも、上下の係止刃５ｂ，５ｃの傾斜角度による傾斜投影幅ｄ２が大きくなるようにしている。
【００２６】
尚、係止板５はプレス加工や削り出し加工の他にも、鍛造や鋳造あるいはダイカストなどの加工法を用いて製することもでき、更には、焼結による加工法も適用できる。
【００２７】
係止板５をダイカストや焼結で製造する場合は、図４（ａ）に断面図で示した係止板５３のように係止刃５ｂ，５ｃの肉厚を増した形状も採ることができ、係止刃５ｂ，５ｃの剛性が増す。また、図４（ｂ）に断面図で示した係止板５４のように、角孔５ａの上下で段差を設けた構造も採れる。この係止板５４の構成では、係止ユニット６の開口部６ｆにも対応した段差を設ければ略垂直の係止姿勢で保持できる。
【００２８】
次に図５（ａ）〜（ｃ）を用いて、本発明に係るドアハンドル１によって角芯７を係止する動作原理を説明する。
【００２９】
角芯７が係止ユニットの貫通孔６ｃに挿入されても、係止板５に角芯７が当接するまでは、係止板５はばね４の付勢力によって係止ユニット６の開口部６ｆに当接して係止姿勢を保つ。
【００３０】
角芯７の挿入が進むと、図５（ａ）に示すように、角芯７の先端が係止板５の上下の係止刃５ｂ，５ｃに当接し、挿入力がばね４の付勢力に打ち勝って係止板５がばね４側に付勢される。このとき、係止板５の上部舌辺５ｄは係合溝３ａで制限保持されるが、下部舌辺５ｅは操作開口２ｂ内を回動し、傾斜板５は解除姿勢側に傾斜を始める。これにより、角芯７に対して係止板５の角孔５ａの幅が傾斜投影幅ｄ２に近づくため、係止が解除されて角芯７は角孔５ａ内を進む。
【００３１】
角芯７の挿入力を解除すると、図５（ｂ），（ｃ）に示すように、ばね４の付勢力によって係止板５は係止姿勢側に戻り始め、係止姿勢側に近づくに連れて角芯７に対する角孔５の幅が正投影幅ｄ１に近づく。これにより、上部係止刃５ｂが角芯７の係止溝７ａに係合すると共に、係止板５の上下の係止刃５ｂ，５ｃで角芯７を挟持する。そして、係止板５は角芯７に対して１５度程度傾斜した略垂直の係止姿勢で角芯７を係止する。同時に、係止板５は上部舌片５ｄが開口部６ｆに当接するので、角芯７はボス部２に一体的に固定される。本実施形態では、係止板５の下部舌片５ｅが開口部６ｆに当接する垂直状態と係止姿勢との間に１５度程度の余裕を持たせている。これは、係止姿勢において角芯７を引き抜く力が加わった場合に、係止板５による角芯７の挟持と係合とを更に促進させ、係止力を一層強化するためである。
【００３２】
このように、角芯７にボス２へ向かって挿入力を加えれば、角芯７を容易に挿入でき、挿入力を解除すれば角芯７はボス２内で係止されて抜けなくなる。
【００３３】
また、図６に示すように、ボス部２の裏側に設けられた操作開口２ｂにドライバーなどの工具を当てがい、係止板５の下部舌辺５ｃを解除姿勢側に移動させる。すると、角芯７に対する係止板５の角孔５ａの幅が傾斜投影幅ｄ２に近づいて広くなり、係止板５は角芯７の係止を解除するので、角芯７を引き抜くことができる。
【００３４】
図７は、前記した本発明の実施形態に係るドアハンドル１を用いた接続手順を示すもので、予めドア３０には取付穴３１に錠ケース２０が取り付けられると共に、ドアハンドル１０には角芯７の一端が挿入されてねじ１０ａで取付固定する。
【００３５】
そして、ドア３０に開けられた開口３２及び錠ケース２０の駆動孔２１を介してドアハンドル１０に固定された角芯７を扉の反対側に貫通させ、貫通した角芯７にドアハンドル１を挿入して行き、ドアハンドル１，１０と扉との隙間が適切な状態になれば、挿入力を解除する。すると、ドアハンドル１により角芯７を係止するので、ドアハンドル１と角芯７とが一体的に固定されて取付が完了する。
【００３６】
また、ドアハンドル１を挿入し過ぎた場合は、前記したように、ボス部２の下部に設けられた操作開口２ｂの係止板５を操作すれば角芯７がボス部２から抜けるので、再度挿入し直すことができる。
【００３７】
尚、前記した本発明の実施形態では、係止板５の角孔５ａに、上部係止刃５ｂと下部係止刃５ｃとを設けているが、下部係止刃５ｃは上部係止刃と相まって角芯７を挟持する作用を行うため、上部係止刃５ｂだけを設けた構成でも角芯７を係止することが可能である。この上下の係止刃５ｂ，５ｃは、角孔５ａの辺上に設けているが、辺上の一部に突起状の係止刃を設けるなど、種々に形成することができる。
【００３８】
また、前記した本発明の実施形態では、角芯７の上下面に係止溝７ａを刻んだ構成としたが、角芯７が比較的軟らかい材質で成されている場合は、係止溝７ａを設けない場合でも係止板５の上下の係止刃５ｂ，５ｃで充分係止可能である。
【００３９】
また、ボス部２内部の係止部３に係止ユニット６を内挿する構成としたが、このような構成に代えて、ばね４と係止板５とを直接係止部３に設けた構成とすることも可能である。
【００４０】
【発明の効果】
本発明のドアハンドルの接続構造によれば、ドアハンドルに角芯を挿入させるだけで確実に固定できるので、ハンドル同士の間隔を調整しながら容易に取り付けでき、作業性を向上できる。
【図面の簡単な説明】
【図１】本発明に係るドアハンドルの構造を示す分解斜視図である。
【図２】（ａ）は本発明に係るドアハンドルのボス部の断面図、（ｂ）は係止ユニットの断面図、（ｃ）は角芯の説明図、（ｄ）は組立状態のボス部の断面図である。
【図３】（ａ）は本発明に係る係止板の説明図、（ｂ）は（ａ）の断面図、（ｃ）は本発明に係る別の係止板の説明図、（ｄ）は（ｃ）の断面図、（ｅ）は本発明に係る別の係止板の説明図、（ｆ）は（ｅ）の断面図である。
【図４】（ａ），（ｂ）は本発明に係る別の係止板の断面図である。
【図５】（ａ）〜（ｃ）は本発明に係るドアハンドルの係止動作の説明図である。
【図６】ドアハンドルに設けた操作開口の説明図である。
【図７】本発明に係るドアハンドルの取付手順を示す説明図である。
【図８】従来のドアハンドルの取付手順を示す説明図である。
【符号の説明】
１      ドアハンドル
２ｂ    操作開口
３      係止部
４      付勢具
５，５１，５２，５３，５４  係止板
５ａ    角孔
５ｂ    係止刃（上部係止刃）
５ｃ    係止刃（下部係止刃）
６      係止ユニット
６ｃ    貫通孔
６ｆ    開放端
７      角芯
【図１】
0004477187.tif 000002
【図２】
0004477187.tif 000003
【図３】
0004477187.tif 000004
【図４】
0004477187.tif 000005
【図５】
0004477187.tif 000006
【図６】
0004477187.tif 000007
【図７】
0004477187.tif 000008
【図８】
0004477187.tif 000009